(57)【要約】      （修正有）【課題】頻繁に開閉動作を繰り返しても保持力の低下を来さず、しかも少ない操作レバーの回動操作で筆記具等の着脱操作を簡便に行うことができる使い勝手のよいクリップ及びこのクリップを取り付けた用具を提供する。【解決手段】カム軸ＣＭを備えた合成樹脂製の操作レバー８の一方向回動操作によってカム軸ＣＭが対向間隔を拡開して後端部が枢着自在に保持された一対の合成樹脂製の両クリップ片４，５先端部が近接し、操作レバー８の他方向回動操作によって、カム軸ＣＭに設けたロック解除爪１４ａ，１４ｂが少なくとも両クリップ片４，５の一方に形成した逃げ溝１６，１８に嵌入して両クリップ片４，５の先端部を離間可能に構成することで、カム軸ＣＭによる機械的な挟持力が与えられて開閉動作を繰り返しても保持力の低下を来さず、しかも少ない操作レバー８の回動操作で両クリップ片４，５の先端部を容易に離間させることができる。【選択図】  図２
2004276474.tif 000002
【特許請求の範囲】
【請求項１】
先端部が互いに近接離間できるように後端部が枢着自在に保持された一対の合成樹脂製のクリップ片と、前記両クリップ片の中間部の対向間隔内に挿通したカム軸を備えた合成樹脂製の操作レバーとから成るクリップであって、
前記操作レバーの一方向回動操作によって、前記カム軸が前記対向間隔を拡開して、両クリップ片の先端部が近接し、前記操作レバーの他方向回動操作によって、前記カム軸に設けたロック解除爪が少なくとも両クリップ片の何れか一方に形成した逃げ溝に嵌入して両クリップ片の先端部が離間可能となることを特徴とするクリップ。
【請求項２】
前記操作レバーの略４５度の回動範囲内で両クリップ片の先端部の近接離間が可能である請求項１に記載のクリップ。
【請求項３】
前記一対のクリップ片の後端部は互いに嵌合保持されている請求項１または２に記載のクリップ。
【請求項４】
請求項１ないし３の何れかに記載のクリップの一方のクリップ片を筆記用具本体或いはその一部と一体構成し、他方のクリップ片を該筆記用具に対し近接離間し得るようにしたことを特徴とする筆記用具。
【請求項５】
請求項１ないし３の何れかに記載のクリップの一方のクリップ片を筆記用具本体或いはその一部に取り付け、他方のクリップ片を該筆記用具に対し近接離間し得るようにしたことを特徴とする筆記用具。
【請求項６】
請求項１ないし３の何れかに記載のクリップの一方のクリップ片を平坦なボードに取付け、他方のクリップ片を該ボードに対し近接離間し得るようにしたことを特徴とするクリップボード。
【発明の詳細な説明】
【０００１】
【発明の属する技術分野】
本発明は、先端部が互いに近接離間できるように後端部が枢着自在に保持された一対の合成樹脂製のクリップ片と、前記両クリップ片の中間部の対向間隔内に挿通したカム軸を備えた合成樹脂製の操作レバーとから成るクリップ及びこのクリップを取り付けた筆記用具やクリップボードに関する。
【０００２】
【従来の技術】
例えば、筆記具等を携帯して必要時には直ぐ取り出せるように、着衣の一部（例えばポケット等）に筆記具のクリップを差し込んで保持したり、或いは、書類ケースやノートの一部にクリップを差し込み保持して携帯するのが普通である。
【０００３】
そして、着衣のポケットやノート等に筆記具等を差し込み保持する場合には、例えば、特許文献１，２に示すように、筆記具の軸状本体の一端に設けられた弾性変形可能なクリップのバネ力を利用していた。
【０００４】
【特許文献１】
特開平０８−１５６４８９号公報（図１，２）
【特許文献２】
実公平０４−５３９８４号公報（図１，２）
【０００５】
【発明が解決しようとする課題】
ところで、このような従来のクリップは、出し入れする際にクリップのバネ力に抗して開放されるが、クリップが樹脂製のみで構成されているため保持力が弱く、更にクリップを出し入れする際の開閉動作が頻繁に繰り返されると、クリップの変形部分に応力が集中して疲労することから弾性力が低下して保持力がより低下する問題があった。このようなクリップの保持力の低下は、例えば筆記具を胸ポケットに差し込んだまま運動などをすると、簡単に抜け落ちて破損したりあるいは紛失してしまったりすることがあり、とくに着衣の布地が薄い場合には顕著に起こった。
【０００６】
本発明は上記問題点に鑑みなされたもので、頻繁に開閉動作を繰り返しても保持力の低下を来さず、しかも少ない操作レバーの回動操作で筆記具等の着脱操作を簡便に行うことができる使い勝手のよいクリップ及びこのクリップを取り付けた用具を提供することを目的とする。
【０００７】
【課題を解決するための手段】
上記目的を達成するために、本発明のクリップは、先端部が互いに近接離間できるように後端部が枢着自在に保持された一対の合成樹脂製のクリップ片と、前記両クリップ片の中間部の対向間隔内に挿通したカム軸を備えた合成樹脂製の操作レバーとから成るクリップであって、前記操作レバーの一方向回動操作によって、前記カム軸が前記対向間隔を拡開して、両クリップ片の先端部が近接し、前記操作レバーの他方向回動操作によって、前記カム軸に設けたロック解除爪が少なくとも両クリップ片の何れか一方に形成した逃げ溝に嵌入して両クリップ片の先端部が離間可能となることを特徴としている。
この特徴によれば、カム軸による機械的な挟持力が与えられるので、開閉動作を繰り返しても保持力の低下を来さず、しかもロック解除爪がすぐに逃げ溝に嵌入できるようにすることで、少ない操作レバーの回動操作で両クリップ片の先端部を容易に離間させることができる。
【０００８】
また、本発明のクリップにおいて、前記操作レバーの略４５度の回動範囲内で両クリップ片の先端部の近接離間が可能であることが好ましい。
このようにすれば、操作レバーの回動範囲が略４５度内であるので、操作レバーの回動操作が手軽に行えるだけでなく、操作レバーの移動範囲が小さいので、操作レバーが倒れた状態にあったとしても他のものと当接する恐れがない。
【０００９】
本発明のクリップにおいて、前記一対のクリップ片の後端部は互いに嵌合保持されていることが好ましい。
このようにすれば、一対のクリップ片の後端部を抑える係合バネを用いなくてもクリップ作用を奏することができるので、部品点数が減らせる。
【００１０】
本発明のクリップを取り付けた筆記用具は、上記した本発明のクリップの一方のクリップ片を筆記用具本体或いはその一部と一体構成し、他方のクリップ片を該筆記用具に対し近接離間し得るようにしたことを特徴としている。
この特徴によれば、筆記用具のような棒状に形成されたものでも、他方のクリップ片との協働作用で、必要に応じて操作レバーの少ない回動操作によりクリップの保持力を強く簡便にできるため、ポケット類等の薄い布地に確実に挟持することができる。また、レバーの逆操作で保持力を容易に弱くできるため、ポケットから引き抜くことも容易である。
【００１１】
本発明のクリップを取り付けた筆記用具は、上記した本発明のクリップの一方のクリップ片を筆記用具本体或いはその一部に取り付け、他方のクリップ片を該筆記用具に対し近接離間し得るようにしたことを特徴としている。
この特徴によれば、筆記用具本体或いはその一部と一方のクリップ片を別構成にして取り付けることで両者の材質や色等を変えて作製することもできる。
【００１２】
本発明のクリップを取り付けたクリップボードは、本発明のクリップの一方のクリップ片を平坦なボードに取付け、他方のクリップ片を該ボードに対し近接離間し得るようにしたことを特徴としている。
この特徴によれば、多数の書類でも平坦なボードと、他方のクリップ片との協働作用で確実に保持することができる。
【００１３】
【発明の実施の形態】
本発明の実施形態について図面を参照して説明する。
【００１４】
図１は本発明の第１実施形態に係るクリップを筆記用具のキャップに設けた状態を示す斜視図、図２は筆記用具のキャップに設けたクリップであって、（ａ）は操作レバーの操作によってクリップ片の先端部が離間した状態を示す断面図、（ｂ）は操作レバーの操作によってクリップ片の先端部が近接した状態を示す断面図である。本発明の対象のひとつとなる筆記具は、ボールペン、シャープペンシル、サインペンなどであり、軸構造はキャップ式、ノック式、複式筆記具などである。
【００１５】
図１、図２に示す符号１はクリップであって、このクリップ１は、先端部が互いに近接離間できるように後端部が枢着自在に保持された一対の合成樹脂製のクリップ片４，５と、これら両クリップ片４，５の中間部に配置された上部ないし下部狭持枠の対向間隔内に挿通したカム軸ＣＭを備えた合成樹脂製の操作レバー８とから構成されている。
【００１６】
詳しくは、一方のクリップ片４は、その後方に形成された段部に幅狭の貫通角穴４ａが形成されると共に、その段部の下端には上記貫通角穴４ａより若干幅狭に形成された下部狭持枠１０が後方に延設されている。
【００１７】
他方のクリップ片５は、筆記具の場合クリップ片４に対設するキャップ２と、その後端部に嵌合保持される下部狭持枠１０の上部に対向配置された上部狭持枠６の２部材で構成されている。このように、キャップ２と上部狭持枠６を別構成にすれば、両者の材質や色等を変えて作製することも可能であるが、キャップ２と上部狭持枠６を一体構成にしたものであってもよい。
【００１８】
そしてクリップ片５が筆記用具のキャップとして構成されているもので説明しているが、特にキャップに限定されるものではなく、後で詳述するが、筆記具の本体軸部にも適用できることは言うまでもない。
【００１９】
上部狭持枠６は、下向きＵ字状に湾曲形成されて後方下端の内側に向く係止爪６ａがキャップ２後端の係止溝に嵌合保持されると共に、クリップ片４の貫通角穴４ａを下方に挿通した前方下部の係止孔６ｃに、キャップ２後端より前方に離間した上部の係止爪１２が係止されてキャップ２と一体化されている。
【００２０】
上部狭持枠６の後方には、角形の係止孔６ｂが貫通形成されており、この係止孔６ｂに下部狭持枠１０後端に形成された係止突起４ｂが係止されている。
【００２１】
また、符号８は操作レバーであって、この操作レバー８は、一方のクリップ片４と同一幅に形成された前端の両側板間にカム軸ＣＭが形成されると共に、カム軸ＣＭ後方の両側板間に形成される貫通角穴８ａに上部狭持枠６の後方が挿通し、下部狭持枠１０とその上部に対向配置される上部狭持枠６との間でカム軸ＣＭが狭持される。
【００２２】
カム軸ＣＭは、その中央に幅狭のロック解除爪１４ａ，１４ｂとこのロック解除爪１４ａ，１４ｂより短尺のロック爪１５ａ，１５ｂにより断面十字形に形成されており、上部狭持枠６と下部狭持枠１０の対向する内面にはロック解除爪１４ａ，１４ｂが水平軸に対し反時計回り（ロック解除方向）に４５度回動した時に、その先端がそれぞれ挿嵌当接して回動範囲を規制する一対の逃げ溝１６，１８が形成されている。
【００２３】
従って、図２の（ａ）に示すように、操作レバー８をキャップ２の軸線に対しほぼ平行な位置まで回動した状態では、カム軸ＣＭのロック解除爪１４ａ，１４ｂの先端が一対の逃げ溝１６，１８に当接して４５度方向に位置決めされる。
【００２４】
この状態においては、４５度方向に回動した他方のロック爪１５ａ，１５ｂの先端は上部狭持枠６と下部狭持枠１０の対向する内面に対す押圧力を解除しており、一対の逃げ溝１６，１８がロック解除爪１４ａ，１４ｂよりも深く形成されているので、一方のクリップ片４と他方のクリップ片５は深く形成された逃げ溝深さだけ開放方向に移動できる。
【００２５】
また、図２の（ｂ）に示すように、操作レバー８を下方に約４５度回動することにより、ロック解除爪１４ａ，１４ｂの先端が一対の逃げ溝１６，１８から離脱すると同時に、垂直方向に位置決めされたロック爪１５ａ，１５ｂの先端が上部狭持枠６と下部狭持枠１０の対向する内面を押圧する。
【００２６】
これにより押圧された下部狭持枠１０は、上部狭持枠６後方の係止孔６ｂに嵌合保持された係止突起４ｂを支点として下方に回動し、クリップ片４の下方への動きが拡大されて他方のクリップ片５であるキャップ２の側面が押圧される。
【００２７】
従って、カム軸ＣＭにより機械的な挟持力が与えられるので、開閉動作を繰り返しても保持力の低下を来さず、しかもロック解除爪１４ａ，１４ｂがすぐに一対の逃げ溝１６，１８に嵌入できるようにすることで、少ない操作レバー８の回動操作で両クリップ片４，５の先端部を容易に離間させることができる。
【００２８】
また、操作レバー８の回動範囲が略４５度内であるので、操作レバー８の回動操作が手軽に行えるだけでなく、操作レバー８の移動範囲が小さいので、操作レバーが倒れた状態にあったとしても他のものと当接する恐れがない。
【００２９】
更に、一対のクリップ片４，５の後端部が、互いに嵌合保持されているので、両クリップ片４，５の後端部を抑える係合バネを用いなくてもクリップ作用を奏することができるので、部品点数を削減することができる。
【００３０】
そして、他方のクリップ片５は、筆記用具としてのキャップ２の一部として構成され、一方のクリップ片４がキャップ２の側面に対して近接離間し得るように構成されているので、キャップ２のような棒状に形成されたものでも、一方のクリップ片４との協働作用で、ポケット類等の薄い布地に確実に挟持することができる。
【００３１】
上述の実施形態においては、他方のクリップ片５が筆記用具のキャップ２の一部として構成されたものであったが、図３に示すように本体軸部に適用できることは言うまでもない。図３は筆記具の頂部に本発明のクリップを設けた一体型筆記具の斜視図であり、筆記具本体２’の頂部には本発明のクリップ１が設けられている。筆記具本体２’とクリップ１との関連構成については、上述のキャップとクリップとの関係と同じであるのでここではその説明を省略する。
【００３２】
次に、本発明の第２実施形態に係るクリップに付き図４を参照して説明する。
図４は本発明の第２実施形態に係るクリップを平坦なボードの一端に装着したクリップボードの部分斜視図であり、図５は同じくその断面図である。尚、上記実施形態に係る構成部分と同一部分については同一符号を付して重複する説明を省略する。
【００３３】
本実施形態に係るクリップボードのクリップ２０は、平坦なボード２４の一端上部に形成した取付け溝２４ａにベース２２が粘着剤を介して面一に取付けられており、このベース２２には上部狭持枠６が嵌合固定されて他方のクリップ片を構成している。一方のクリップ片４は先の実施形態と同様に下部狭持枠１０を有し、その後端部が上部狭持枠６に形成した係止孔６ｃに揺動可能に嵌合している。
【００３４】
上部狭持枠６と下部狭持枠１０間には操作レバー８端部に設けたカム軸が挟持されている。図５に示すように、操作レバー８を実線状態から時計方向に回動して２点鎖線状態に回動すると、ロック爪１５ａ、１５ｂが立ち上がって、一方のクリップ片４がボード２４の表面に向けて回動して、ボード２４の表面を押圧するので、シート状の書類２５を多数保持することができる。
【００３５】
以上、本発明の実施形態を図面により説明してきたが、具体的な構成はこれら実施例に限られるものではなく、例えば、逃げ溝１６，１８を上部挟持枠６と下部挟持枠１０にそれぞれ設け一対のロック解除爪１４ａ、１４ｂを嵌入できるようにしているが、一方だけに逃げ溝を設けてロック解除爪も一つとするようにしたものでもよい。
【００３６】
更に、上記の実施形態では、上部狭持枠と下部狭持枠の後端を嵌合係合したもので説明したが、両後端部をバネクリップで挟持して操作レバーのクランプ解除操作時に、バネクリップの付勢力により一対のクリップ片の挟持作用を積極的に解放させることもできる。
【００３７】
また、本発明の実施形態では、筆記用具とクリップボードについて説明しているが、クリップを用いたあらゆる用具に適用可能であり、クリップ単体として、例えば携帯電話のストラップ先端に取り付けて、服に留めるクリップとして使用することもできることは云うまでもない。
【００３８】
【発明の効果】
本発明は以下の効果を奏する。
【００３９】
（ａ）請求項１項の発明によれば、カム軸による機械的な挟持力が与えられるので、開閉動作を繰り返しても保持力の低下を来さず、しかもロック解除爪がすぐに逃げ溝に嵌入できるようにすることで、少ない操作レバーの回動操作で両クリップ片の先端部を容易に離間させることができる。
【００４０】
（ｂ）請求項２項の発明によれば、操作レバーの回動範囲が略４５度内であるので、操作レバーの回動操作が手軽に行えるだけでなく、操作レバーの移動範囲が小さいので、操作レバーが倒れた状態にあったとしても他のものと当接する恐れがない。
【００４１】
（ｃ）請求項３項の発明によれば、一対のクリップ片の後端部を抑える係合バネを用いなくてもクリップ作用を奏することができるので、部品点数が減らせる。
【００４２】
（ｄ）請求項４項の発明によれば、筆記用具のような棒状に形成されたものでも、他方のクリップ片との協働作用で、必要に応じて操作レバーの少ない回動操作によりクリップの保持力を強く簡便にできるため、ポケット類等の薄い布地に確実に挟持することができる。また、レバーの逆操作で保持力を容易に弱くできるため、ポケットから引き抜くことも容易である。
【００４３】
（ｅ）請求項５の発明によれば、筆記用具本体或いはその一部と一方のクリップ片を別構成にして取り付けることで両者の材質や色等を変えて作製することもできる。
【００４４】
（ｆ）請求項６の発明によれば、多数の書類でも平坦なボードと、他方のクリップ片との協働作用で確実に保持することができる。
【図面の簡単な説明】
【図１】本発明の第１実施形態に係るクリップを筆記用具のキャップに設けた状態を示す斜視図である。
【図２】筆記用具のキャップに取付けられたクリップであって、（ａ）は操作レバーの操作によってクリップ片の先端部が離間した状態を示す断面図、（ｂ）は操作レバーの操作によってクリップ片の先端部が近接した状態を示す断面図である。
【図３】筆記具の頂部に本発明のクリップを設けた一体型筆記具の斜視図である。
【図４】本発明の第２実施形態に係るクリップを平坦なボードの一端に装着したクリップボードの部分斜視図である。
【図５】本発明の第２実施形態に係るクリップボードの断面図である。
【符号の説明】
１                    クリップ
２                    キャップ
４，５                クリップ片
４ａ                  貫通角穴
４ｂ                  係止突起
６                    上部狭持枠
６ａ                  係止爪
６ｂ，６ｃ            係止孔
８                    操作レバー
８ａ                  貫通角穴
１０                  下部狭持枠
１２                  係止爪
１４ａ，１４ｂ        ロック解除爪
１５ａ，１５ｂ        ロック爪
１６，１８            逃げ溝
２０                  クリップ
２２                  ベース
２４                  ボード
２４ａ                取付け溝
２５                  シート状の書類
ＣＭ                  カム軸
【図１】
2004276474.tif 000003
【図２】
2004276474.tif 000004
【図３】
2004276474.tif 000005
【図４】
2004276474.tif 000006
【図５】
2004276474.tif 000007